(57)【要約】      （修正有）【課題】お墓に設置するきりこ掛け専用架台と、その架台に取り付ける組立て式きりこ掛けセットを提供する。【解決手段】柱となる長いステンレス製パイプを分割し、樹脂製のオネジ・メネジを両端に取り付け組立て式にする。分割したステンレス製加工ポールと樹脂製部品一式を石材又はプラスチック製架台に収納できるようにする。【選択図】図２
0003165219.tif 000002
【実用新案登録請求の範囲】
【請求項１】
お墓に設置するきりこ掛け専用架台に収納室を設け、組立て式きりこ掛けセットを収納し必要な時に取り出し本架台に取り付けできるよう考案した。
【請求項２】
携帯にも便利な組立て式きりこ掛けセットの考案。形状と構造は、太さ２５ｍｍのステレスパイプを長さ３０ｃｍ前後に切断し、その両端に樹脂製のオネジとメネジをそれぞれ差込み固定する。固定方法は、樹脂部品を差込んだ側面をポンチで打ち凹を付け、抜け及び回り止めをする。きりこ板を掛ける飾り棒は、樹脂製の丸棒に紐を通す穴を数箇所設け、片方の端を平らに加工し穴を開け組立てたステンレスポールの先端に付属の固定ネジで止める。この組立て式きりこ掛けセットは、本考案の収納架台以外でも取り付け可能で、既製のコンクリート架台や御影石材等にボルト・ナットやアンカー金具を使う事によって簡単に設置出来るよう考案した。
【考案の詳細な説明】
【技術分野】
【０００１】  本考案は、お墓に設置するきりこ掛け専用架台と、その架台に取り付ける組立て式きりこ掛けセットに関するものである。
【背景技術】
【０００２】  石川県では、地区によってお墓参りに誰が来たか分かるように、きりこと言う板に名前を書きお墓の前にぶら下げて置く風習がある。そのために、それぞれの家庭で１．８ｍ前後のポールを少なくとも３本用意し、お盆の墓参りの時期に持って行き既設のビニールパイプに差込み鳥居のように門形に取り付けている。
【考案の概要】
【考案が解決しょうとする課題】
【０００３】  毎年、長いポールを持って行ったり持ち帰ったりの煩わしさを解消するためと、既設のポールを立てるために埋め込んであるビニールパイプの見た目の悪さ。さらにお墓参りの時に持って行く事を忘れたり、運搬方法を考えたりする事の精神的負担を解消しょうとするものである。
【課題を解決するための手段】
【０００４】  以上の課題を解決するために本考案は、ポールを分割にし、ネジによる組立て式にする。また組立てる部品は全て専用架台に収納できるようにする。架台はお墓の前方両脇に３分の１程度埋め込むか、コンクリート又はアンカーなどで固定する。
【考案の効果】
【０００５】  上述の様に、本考案の収納室付架台は、きりこ掛けを分割することで収納可能になり、必要な時に取り出し簡単に組立てる事ができる。このようにする事によって、毎年長いポールを自宅から持ち運びしなくてもよく、ビニールパイプを利用した既設のポール立ての見た目の悪さも解消できる。さらに本考案のきりこ掛けは鳥居の様に組まないので、お墓の前面がすっきりしお参りし易くなる。
【図面の簡単な説明】
【０００６】
【図１】本考案の一実施形態を示す正面図である。
【図２】本架台の収納時形態と収納部品の図面。
【図３】本収納室付架台の側面と上部からの断面図及び収納部品の一部を取り付けてある蓋板の断面図。
【図４】本考案の組立て式きりこ掛けセット完成図。
【考案を実施するための形態】
【０００７】  本収納室付架台は、ボルトを外すことにより蓋板が開く。ボルトは道具を使わず簡単に外せて、錆付きや腐食しない物とする。収納室には、分割にした組立て式きりこ掛けセットが収納されていて、本架台に道具不要で設置出来るようになっている。
【実施例】
【０００８】  以下、添付図面に従って一実施例を説明する。１は石材又は耐久性のプラスチック製架台、３は一部部品と一体となった蓋板で、４ヶ所ある２の固定ボルトを外すことで開ける事ができる。蓋板を開けたら図２の５・６・７・８・９・１０の部品が入っているので全て取り出す。取り出したら今度は蓋板をひっくり返し再び２のボルトで固定する。蓋板の裏にはステンレスパイプを加工した分割ポール４が取り付けてあり先端部分のメネジに５のオネジを取り付ける。次に、樹脂製飾り棒９の先端部分を横向きに５のメネジと６のオネジの間に挟み付けるように取り付ける。順に６に７を回し入れ最後に８の固定ネジを一旦外し１０の飾り棒を横にし、先端部分を再び８のネジで固定する。９・１０の飾り棒の向きは自由にできるので適当な方向に合わせる。
【符号の説明】
【０００９】１    収納室付き架台
２    固定ボルト
３    蓋板（分割ポール４が既に取り付けてある）
４    分割ポール
５    分割ポール
６    分割ポール
７    分割ポール
８    固定ネジ
９    樹脂製飾り棒
１０  樹脂製飾り棒
１１  水抜き
１２  収納室
１３  アンカーメネジ
１４  板きりこ
【図１】
0003165219.tif 000003
【図２】
0003165219.tif 000004
【図３】
0003165219.tif 000005
【図４】
0003165219.tif 000006
【手続補正書】
【提出日】平成22年7月28日(2010.7.28)
【手続補正１】
【補正対象書類名】実用新案登録請求の範囲
【補正対象項目名】全文
【補正方法】変更
【補正の内容】
【実用新案登録請求の範囲】
【請求項１】
お墓に設置する本考案の組立て式きりこ掛けセットと収納室付架台で石製の専用架台に石材用のホールカッターで穴を開け収納室を設け、更に四隅にアンカーナットを取り付け、架台の蓋となる石板の四隅にもアンカーナットとの合わせ穴を開け、中央にもきりこ掛けセットの分割ポールを取り付ける穴を開け、専用ボルトと分割ポールとの間に石板を挟み込みボルトを締め、収納室に組立て式きりこ掛けセットとともに蓋板の分割ポール側を内部に納めるように蓋をする。以上のように通常は収納室付架台に収納して置き、必要な時に取り出し本考案の収納室付架台に簡単に設置できる事を特徴とする組立て式きりこ掛けセットと収納室付架台。
【請求項２】
携帯にも便利な本考案の組立て式きりこ掛けセットで、支柱となる分割ポールは、太さ２５ｍｍのステンレスパイプを長さ３０ｃｍ前後に切断し、その両端に樹脂製のオネジとメネジをそれぞれ差込み、差込んだ側面をポンチで打ち凹を付け、抜け及び回り止めを施し、又きりこ板を掛ける飾り棒は、樹脂製の丸棒に紐を通す穴を数箇所設け、片方の端を平に加工し穴を開け、２本ある内の１本は支柱となる４本の分割ポールの何れかの間に横向きに挟み込むように取り付け、もう１本は支柱先端部に付属の固定ネジで止めるようにする。以上からなる本考案の組立て式きりこ掛けセットは、本考案の収納室付架台以外でも取り付け可能で、既製のコンクリート架台や御影石材等に専用金具を取り付ける事によって簡単に設置出来、持ち運びが容易である事を特徴とする組立て式きりこ掛けセット。
【手続補正書】
【提出日】平成22年9月22日(2010.9.22)
【手続補正１】
【補正対象書類名】実用新案登録請求の範囲
【補正対象項目名】全文
【補正方法】変更
【補正の内容】
【実用新案登録請求の範囲】
【請求項１】
石製の専用架台に石材用のホールカッターで穴を開け収納室を設け、四隅にはアンカーナットを取り付けてあり、架台の蓋板の四隅にもアンカーナットとの合わせ穴を設けてあり、中央にもきりこ掛けセットの分割ポールを取り付ける穴を開け、専用ボルトと分割ポールとの間に蓋板を挟み固定し、蓋板は両面を使用するようになっていて、通常は収納室付架台に組立て式きりこ掛けセットとともに蓋板の分割ポール側を内部に収納して閉めてあり、必要な時に取り出し蓋板を利用し収納室付架台に簡単に設置できるようになっている事を特徴とする組立て式きりこ掛けセットと収納室付架台。
【請求項２】
携帯にも便利な前記組立て式きりこ掛けセットで、支柱となる分割ポールは、太さ２５ｍｍのステンレスパイプを長さ３０ｃｍ前後に切断し、その両端に樹脂製のオネジとメネジをそれぞれ差込み、差込んだ側面をポンチで打ち凹を付け、抜け及び回り止めを施し、又きりこ板を掛ける飾り棒は、樹脂製の丸棒に紐を通す穴を数箇所設け、片方の端を平に加工し穴を開け、２本ある内の１本は支柱となる４本の分割ポールの何れかの間に横向きに取り付けでき、もう１本は支柱先端部に付属の固定ネジで取り付けできるようになっていて、以上からなる組立て式きりこ掛けセットは、専用金具に取り付ける事によって簡単に設置出来、又持ち運びが容易である事を特徴とする請求項１記載の組立て式きりこ掛けセットと収納室付架台。